(57)【要約】【課題】タイヤのベルトエッジ耐久性能を向上できる空気入りタイヤを提供すること。【解決手段】この空気入りタイヤ１は、カーカス層１３と、カーカス層１３の径方向外側に配置されたベルト層１４と、ベルト層１４の径方向外側に配置されたトレッドゴムとを備える。また、カーカス層１３が、８０［deg］以上１００［deg］以下のコード角度を有する。また、ベルト層１４が、第一補強ベルト１４１と、第一補強ベルト１４１よりも幅狭な第二補強ベルト１４２と、タイヤ赤道面ＣＬから離間すると共にカーカス層１３および第一補強ベルト１４１の間に配置された補助ベルト１４５とを積層して成る。また、第一補強ベルト１４１が、１１［deg］以上３０［deg］以下のコード角度を有し、第二補強ベルト１４２が、１［deg］以上１１［deg］以下のコード角度を有し、且つ、補助ベルト１４５が、５５［deg］以上７０［deg］以下のコード角度を有する。【選択図】図２
2020066306.tif 000002
【特許請求の範囲】
【請求項１】
カーカス層と、前記カーカス層の径方向外側に配置されたベルト層と、前記ベルト層の径方向外側に配置されたトレッドゴムとを備える空気入りタイヤであって、
前記カーカス層が、８０［deg］以上１００［deg］以下のコード角度を有し、
前記ベルト層が、第一補強ベルトと、前記第一補強ベルトよりも幅狭な第二補強ベルトと、タイヤ赤道面から離間すると共に前記カーカス層および前記第一補強ベルトの間に配置された補助ベルトとを積層して成り、
前記第一補強ベルトが、１１［deg］以上３０［deg］以下のコード角度を有し、
前記第二補強ベルトが、１［deg］以上１１［deg］以下のコード角度を有し、且つ、
前記補助ベルトが、５５［deg］以上７０［deg］以下のコード角度を有することを特徴とする空気入りタイヤ。
【請求項２】
前記タイヤ赤道面から前記補助ベルトのタイヤ幅方向の外側端部までの距離Ｄｅ５が、トレッド展開半幅ＴＤＷ／２に対して０．６０≦Ｄｅ５／（ＴＤＷ／２）≦０．９０の関係を有する請求項１に記載の空気入りタイヤ。
【請求項３】
前記タイヤ赤道面から前記補助ベルトのタイヤ幅方向の外側端部までの距離Ｄｅ５が、前記タイヤ赤道面から前記第一補強ベルトの端部までの距離Ｄｅ１に対して０．７５≦Ｄｅ５／Ｄｅ１≦０．９９の関係を有する請求項１または２に記載の空気入りタイヤ。
【請求項４】
前記タイヤ赤道面から前記補助ベルトのタイヤ幅方向の内側端部までの距離Ｄｅ５’が、トレッド展開半幅ＴＤＷ／２に対して０．１０≦Ｄｅ５’／（ＴＤＷ／２）≦０．４０の関係を有する請求項１〜３のいずれか一つに記載の空気入りタイヤ。
【請求項５】
前記補助ベルトの幅Ｗｂ５が、トレッド展開半幅ＴＤＷ／２に対して０．４０≦Ｗｂ５／（ＴＤＷ／２）≦０．６０の関係を有する請求項１〜４のいずれか一つに記載の空気入りタイヤ。
【請求項６】
前記補助ベルトを構成するベルトコードのコード径が、２．０［ｍｍ］以上４．５［ｍｍ］以下の範囲にある請求項１〜５のいずれか一つに記載の空気入りタイヤ。
【請求項７】
前記タイヤ赤道面から前記第一補強ベルトの端部までの距離Ｄｅ１が、トレッド展開半幅ＴＤＷ／２に対して０．８５≦Ｄｅ１／（ＴＤＷ／２）≦０．９５の関係を有する請求項１〜６のいずれか一つに記載の空気入りタイヤ。
【請求項８】
前記タイヤ赤道面から前記第二補強ベルトの端部までの距離Ｄｅ２が、トレッド展開半幅ＴＤＷ／２に対して０．７０≦Ｄｅ２／（ＴＤＷ／２）≦０．８４の関係を有する請求項１〜７のいずれか一つに記載の空気入りタイヤ。
【請求項９】
前記ベルト層が、前記第一補強ベルトおよび前記第二補強ベルトの径方向外側に配置された保護ベルトを備え、
前記保護ベルトが、１１［deg］以上３０［deg］以下のコード角度を有し、且つ、
前記タイヤ赤道面から前記保護ベルトの端部までの距離Ｄｅ３が、前記第一補強ベルトおよび前記第二補強ベルトの端部までの距離Ｄｅ１、Ｄｅ２に対してＤｅ１＜Ｄｅ３およびＤｅ２＜Ｄｅ３の関係を有する請求項１〜８のいずれか一つに記載の空気入りタイヤ。
【請求項１０】
前記タイヤ赤道面から前記保護ベルトの端部までの距離Ｄｅ３が、トレッド展開半幅ＴＤＷ／２に対して０．８０≦Ｄｅ３／（ＴＤＷ／２）≦０．９９の関係を有する請求項１〜９のいずれか一つに記載の空気入りタイヤ。
【請求項１１】
タイヤを規定リムに装着して規定内圧を付与した時のトレッドプロファイルの肩落ち量Ｄｔが、タイヤ断面高さＳＨに対して０．０２５≦Ｄｔ／ＳＨ≦０．０７０の関係を有する請求項１〜１０のいずれか一つに記載の空気入りタイヤ。
【請求項１２】
前記タイヤ赤道面におけるトレッドプロファイルからカーカスプロファイルまでの距離Ｇｃａ１が、トレッド端からカーカスプロファイルまでの距離Ｇｃａ２に対して０．８０≦Ｇｃａ１／Ｇｃａ２≦１．２５の関係を有する請求項１〜１１のいずれか一つに記載の空気入りタイヤ。
【請求項１３】
前記タイヤ赤道面における前記トレッドゴムのゲージＧｔｒ１が、前記ベルト層の最外層の端部位置における前記トレッドゴムのゲージＧｔｒ２に対して０．９０≦Ｇｔｒ１／Ｇｔｒ２≦１．３５の関係を有する請求項１〜１２のいずれか一つに記載の空気入りタイヤ。
【請求項１４】
７０［％］以下の偏平率を有する、建設車両用あるいは産業車両用のＯＲタイヤである請求項１〜１３のいずれか一つに記載の空気入りタイヤ。
【請求項１５】
前記カーカス層の偏平率が、７０［％］以下である請求項１〜１４のいずれか一つに記載の空気入りタイヤ。
【発明の詳細な説明】
【技術分野】
【０００１】
この発明は、空気入りタイヤに関し、さらに詳しくは、タイヤのベルトエッジ耐久性能を向上できる空気入りタイヤに関する。
【背景技術】
【０００２】
建設車両あるいは産業車両に装着されるＯＲタイヤ（Off  the  Road  Tire)では、タイヤの耐久性を高めるための追加的な補強材として、カーカス層と一対の補強ベルトとの間に配置された補助ベルトを備えている。かかる構成を採用する従来のＯＲタイヤとして、特許文献１に記載される技術が知られている。
【先行技術文献】
【特許文献】
【０００３】
【特許文献１】特開２０１７−５００２４６号公報
【発明の概要】
【発明が解決しようとする課題】
【０００４】
ところで、近年では、重機械あるいは建設機械の進化に対応して、ＯＲタイヤの低偏平化が進められている。低偏平ＯＲタイヤでは、タイヤ外径を維持しつつ負荷重能力を向上できる一方で、荷重係数（k-factor）が増加してタイヤの撓み量が増加するため、ベルトプライの端部にて周辺ゴムのセパレーションが発生し易いという課題がある。
【０００５】
この発明は、上記に鑑みてなされたものであって、タイヤのベルトエッジ耐久性能を向上できる空気入りタイヤを提供することを目的とする。
【課題を解決するための手段】
【０００６】
上記目的を達成するため、この発明にかかる空気入りタイヤは、カーカス層と、前記カーカス層の径方向外側に配置されたベルト層と、前記ベルト層の径方向外側に配置されたトレッドゴムとを備える空気入りタイヤであって、前記カーカス層が、８０［deg］以上１００［deg］以下のコード角度を有し、前記ベルト層が、第一補強ベルトと、前記第一補強ベルトよりも幅狭な第二補強ベルトと、タイヤ赤道面から離間すると共に前記カーカス層および前記第一補強ベルトの間に配置された補助ベルトとを積層して成り、前記第一補強ベルトが、１１［deg］以上３０［deg］以下のコード角度を有し、前記第二補強ベルトが、１［deg］以上１１［deg］以下のコード角度を有し、且つ、前記補助ベルトが、５５［deg］以上７０［deg］以下のコード角度を有することを特徴とする。
【発明の効果】
【０００７】
この発明にかかる空気入りタイヤによれば、補助ベルトが、５５［deg］以上７０［deg］以下のコード角度を有することにより、補助ベルトのコード角度が適正化されて、タイヤのベルトエッジ耐久性能が向上する利点がある。具体的には、上記下限により、隣り合う補助ベルトおよびカーカス層の間のコード角度の差が小さくなり、層間歪みが低減されて、補助ベルトの端部における周辺ゴムのセパレーションが抑制される。また、上記上限により、トレッド部ショルダー領域の径成長が抑制されて、ベルト層の端部における周辺ゴムのセパレーションが抑制される。
【図面の簡単な説明】
【０００８】
【図１】図１は、この発明の実施の形態にかかる空気入りタイヤを示すタイヤ子午線方向の断面図である。
【図２】図２は、図１に記載した空気入りタイヤのベルト層を示す説明図である。
【図３】図３は、図１に記載した空気入りタイヤのトレッド部を示す拡大図である。
【図４】図４は、この発明の実施の形態にかかる空気入りタイヤの性能試験の結果を示す図表である。
【発明を実施するための形態】
【０００９】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１０】
［空気入りタイヤ］
図１は、この発明の実施の形態にかかる空気入りタイヤを示すタイヤ子午線方向の断面図である。同図は、タイヤ径方向の片側領域の断面図を示している。同図は、空気入りタイヤの一例として、建設車両あるいは産業車両に装着されるＯＲタイヤ（Off  the  Road  Tire)を示している。
【００１１】
同図において、タイヤ子午線方向の断面とは、タイヤ回転軸（図示省略）を含む平面でタイヤを切断したときの断面をいう。また、符号ＣＬは、タイヤ赤道面であり、タイヤ回転軸方向にかかるタイヤの中心点を通りタイヤ回転軸に垂直な平面をいう。また、タイヤ幅方向とは、タイヤ回転軸に平行な方向をいい、タイヤ径方向とは、タイヤ回転軸に垂直な方向をいう。
【００１２】
空気入りタイヤ１は、タイヤ回転軸を中心とする環状構造を有し、一対のビードコア１１、１１と、一対のビードフィラー１２、１２と、カーカス層１３と、ベルト層１４と、トレッドゴム１５と、一対のサイドウォールゴム１６、１６と、一対のリムクッションゴム１７、１７とを備える（図１参照）。
【００１３】
一対のビードコア１１、１１は、スチールから成る１本あるいは複数本のビードワイヤを環状かつ多重に巻き廻して成り、ビード部に埋設されて左右のビード部のコアを構成する。一対のビードフィラー１２、１２は、一対のビードコア１１、１１のタイヤ径方向外周にそれぞれ配置されてビード部を補強する。
【００１４】
カーカス層１３は、１枚のカーカスプライから成る単層構造あるいは複数枚のカーカスプライを積層して成る多層構造を有し、左右のビードコア１１、１１間にトロイダル状に架け渡されてタイヤの骨格を構成する。また、カーカス層１３の両端部は、ビードコア１１およびビードフィラー１２を包み込むようにタイヤ幅方向外側に巻き返されて係止される。また、カーカス層１３のカーカスプライは、スチールから成る複数のカーカスコードをコートゴムで被覆して圧延加工して構成され、８０［deg］以上１００［deg］以下のコード角度（タイヤ周方向に対するカーカスコードの長手方向の傾斜角として定義される。）を有する。また、カーカスコードのコード径が、２．２［ｍｍ］以上４．５［ｍｍ］以下の範囲にある。
【００１５】
ベルト層１４は、複数のベルトプライ１４１〜１４５を積層して成り、カーカス層１３の外周に掛け廻されて配置される。これらのベルトプライ１４１〜１４５は、２層以上の補強ベルト１４１、１４２と、１層以上の保護ベルト１４３、１４４と、１層以上の補助ベルト１４５とを含む。各ベルトプライ１４１〜１４５の具体的な構成については、後述する。
【００１６】
トレッドゴム１５は、カーカス層１３およびベルト層１４のタイヤ径方向外周に配置されてタイヤのトレッド部を構成する。一対のサイドウォールゴム１６、１６は、カーカス層１３のタイヤ幅方向外側にそれぞれ配置されて左右のサイドウォール部を構成する。一対のリムクッションゴム１７、１７は、左右のビードコア１１、１１およびカーカス層１３の巻き返し部のタイヤ径方向内側にそれぞれ配置されて、ビード部のリム嵌合面を構成する。
【００１７】
［ベルト層］
図２は、図１に記載した空気入りタイヤのベルト層を示す説明図である。同図は、タイヤ赤道面ＣＬを境界としたトレッド部の片側領域を示している。
【００１８】
ベルト層１４は、上記のように、２層以上の補強ベルト１４１、１４２と、１層以上の保護ベルト１４３、１４４と、１層以上の補助ベルト１４５とを含む複数のベルトプライ１４１〜１４５を積層して成る。
【００１９】
各ベルトプライ１４１〜１４４は、タイヤ赤道面ＣＬを横断してタイヤ幅方向に連続して延在する。また、各ベルトプライ１４１〜１４４が、タイヤ赤道面ＣＬを中心とした左右対称な構造を有する。また、隣接するベルトプライ１４１、１４２；１４２、１４３；１４３、１４４が、相互に異符号のコード角度（タイヤ周方向に対するベルトコードの長手方向の傾斜角として定義される。）を有し、ベルトコードの長手方向を相互に交差させて積層される（いわゆるクロスプライ構造を有する）。
【００２０】
第一補強ベルト１４１は、スチールから成る複数のベルトコードをコートゴムで被覆して圧延加工して構成され、絶対値で１１［deg］以上３０［deg］以下、好ましくは１８［deg］以上２６［deg］以下のコード角度を有する。また、第一補強ベルト１４１は、カーカス層１３のタイヤ径方向外側に配置される。
【００２１】
第二補強ベルト１４２は、スチールから成る複数のベルトコードをコートゴムで被覆して圧延加工して構成され、絶対値で１［deg］以上１１［deg］以下、好ましくは５［deg］以上１０［deg］以下のコード角度を有する。したがって、幅狭な第二補強ベルト１４２のコード角度が、幅広な第一補強ベルト１４１のコード角度よりも小さく設定される。具体的には、第一補強ベルト１４１のコード角度の絶対値と第二補強ベルト１４２のコード角度の絶対値との差が、１［deg］以上である。また、第二補強ベルト１４２は、第一補強ベルト１４１のタイヤ径方向外側に積層されて配置される。
【００２２】
また、補強ベルト１４１、１４２のベルトコードの外径が、２．０［ｍｍ］以上４．５［ｍｍ］以下の範囲にあり、好ましくは２．２［ｍｍ］以上３．０［ｍｍ］以下の範囲にある。また、補強ベルト１４１、１４２のベルトコードのエンド数が、１４［本／５０ｍｍ］以上２２［本／５０ｍｍ］以下の範囲にあり、好ましくは１６［本／５０ｍｍ］以上２０［本／５０ｍｍ］以下の範囲にある。
【００２３】
コード径は、コードが縒り合わされた複数本のワイヤから成る構成では、コードの径方向断面視における外接円の直径として測定される。
【００２４】
また、図２の構成では、幅狭な第二補強ベルト１４２が、幅広な第一補強ベルト１４１のタイヤ径方向外側に積層されて配置されている。しかし、これに限らず、幅狭な第二補強ベルト１４２が、幅広な第一補強ベルト１４１のタイヤ径方向内側に積層されて配置されても良い（図示省略）。
【００２５】
さらに、第三補強ベルト（図示省略）が積層されて配置されても良い。このとき、第三補強ベルトが、第一補強ベルト１４１および第二補強ベルト１４２に対して径方向内側に配置されても良いし、径方向外側に配置されても良い（図示省略）。また、第三補強ベルトが、第一補強ベルト１４１および第二補強ベルト１４２の間に挟み込まれて配置されても良い（図示省略）。これらの場合には、最も幅広な補強ベルトが、上記した第一補強ベルト１４１として定義され、最も幅狭な補強ベルトが上記した第二補強ベルト１４２として定義される。
【００２６】
第一保護ベルト１４３は、スチールから成る複数のベルトコードをコートゴムで被覆して圧延加工して構成され、絶対値で１１［deg］以上３０［deg］以下、好ましくは１９［deg］以上２７［deg］以下のコード角度を有する。また、第一保護ベルト１４３は、第一補強ベルト１４１および第二補強ベルト１４２の径方向外側に積層されて配置される。また、第一保護ベルト１４３は、後述するように第一補強ベルト１４１および第二補強ベルト１４２よりも幅広であり、これらの補強ベルト１４１、１４２の全体を径方向外側から覆って配置される。また、第一保護ベルト１４３のベルトコードのコード径が、第一補強ベルト１４１および第二補強ベルト１４２のベルトコードのコード径よりも細い。また、第一補強ベルト１４１および第二補強ベルト１４２のコード径と第一保護ベルト１４３のコード径との差が、０．１［ｍｍ］以上０．５［ｍｍ］以下の範囲にあることが好ましい。
【００２７】
第二保護ベルト１４４は、スチールから成る複数のベルトコードをコートゴムで被覆して圧延加工して構成され、絶対値で１１［deg］以上３０［deg］以下、好ましくは１９［deg］以上２７［deg］以下のコード角度を有する。また、第二保護ベルト１４４は、第一保護ベルト１４３に対して異符号のコード角度を有し、ベルトコードの長手方向を相互に交差させて積層される。また、第二保護ベルト１４４は、第一保護ベルト１４３よりも幅狭であり、第一保護ベルト１４３の径方向外側に積層されて配置される。
【００２８】
また、保護ベルト１４３、１４４のベルトコードの外径が、１．７［ｍｍ］以上４．２［ｍｍ］以下の範囲にあり、好ましくは１．９［ｍｍ］以上２．７［ｍｍ］以下の範囲にある。また、保護ベルト１４３、１４４のベルトコードのエンド数が、１０［本／５０ｍｍ］以上２０［本／５０ｍｍ］以下の範囲にあり、好ましくは１３［本／５０ｍｍ］以上１８［本／５０ｍｍ］以下の範囲にある。
【００２９】
なお、第二保護ベルト１４４が省略されて、第一保護ベルト１４３のみが配置されても良い（図示省略）。
【００３０】
また、図２において、タイヤ赤道面ＣＬから第一補強ベルト１４１の端部までの距離Ｄｅ１が、トレッド展開半幅ＴＤＷ／２に対して０．８５≦Ｄｅ１／（ＴＤＷ／２）≦０．９５の関係を有することが好ましく、０．８１≦Ｄｅ１／（ＴＤＷ／２）≦０．８７の関係を有することがより好ましい。
【００３１】
ベルトプライの端部の距離は、タイヤ赤道面からベルトプライのタイヤ幅方向の最も外側にあるベルトコードまでタイヤ幅方向の距離であり、タイヤを規定リムに装着して規定内圧を付与すると共に無負荷状態にて測定される。
【００３２】
トレッド展開幅ＴＤＷは、タイヤを規定リムに装着して規定内圧を付与すると共に無負荷状態としたときのタイヤのトレッド模様部分の展開図における両端の直線距離として測定される。
【００３３】
また、図２に示すように、第二補強ベルト１４２が第一補強ベルト１４１および第一保護ベルト１４３よりも幅狭であり、第二補強ベルト１４２の端部が第一補強ベルト１４１および第一保護ベルト１４３の間に挟み込まれて配置される。また、タイヤ赤道面ＣＬから第二補強ベルト１４２の端部までの距離Ｄｅ２が、トレッド展開半幅ＴＤＷ／２に対して０．７０≦Ｄｅ２／（ＴＤＷ／２）≦０．８４の関係を有することが好ましく、０．７０≦Ｄｅ２／（ＴＤＷ／２）≦０．７５の関係を有することがより好ましい。
【００３４】
さらに、第二補強ベルト１４２の距離Ｄｅ２が、第一補強ベルト１４１の距離Ｄｅ１に対して０．７０≦Ｄｅ２／Ｄｅ１≦０．９０の関係を有することが好ましく、０．８０≦Ｄｅ２／Ｄｅ１≦０．８５の関係を有することがより好ましい。
【００３５】
また、図２に示すように、第一保護ベルト１４３が、第一補強ベルト１４１および第二補強ベルト１４２よりも幅広であり、これらの補強ベルト１４１、１４２の全体を径方向外側から覆って配置される。また、タイヤ赤道面ＣＬから第一保護ベルト１４３の端部までの距離Ｄｅ３が、トレッド展開半幅ＴＤＷ／２に対して０．８０≦Ｄｅ３／（ＴＤＷ／２）≦０．９９の関係を有することが好ましく、０．９０≦Ｄｅ３／（ＴＤＷ／２）の関係を有することがより好ましい。
【００３６】
また、第一保護ベルト１４３の距離Ｄｅ３が、第一補強ベルト１４１の距離Ｄｅ１に対して０．７０≦Ｄｅ３／Ｄｅ１≦０．９５の関係を有することが好ましく、０．８０≦Ｄｅ３／Ｄｅ１≦０．９０の関係を有することがより好ましい。これにより、ベルトプライの端部を起点とする周辺ゴムのセパレーションが抑制される。
【００３７】
また、図２に示すように、第二保護ベルト１４４が、第一保護ベルト１４３よりも幅狭であり、その端部を第一保護ベルト１４３の外周面上に有する。また、タイヤ赤道面ＣＬから第二保護ベルト１４４の端部までの距離Ｄｅ４が、トレッド展開半幅ＴＤＷ／２に対して０．６０≦Ｄｅ４／（ＴＤＷ／２）≦０．９０の関係を有することが好ましく、０．７０≦Ｄｅ４／（ＴＤＷ／２）≦０．８０の関係を有することがより好ましい。これにより、第二保護ベルト１４４の距離Ｄｅ４が適正化される。
【００３８】
また、第二保護ベルト１４４の距離Ｄｅ４が、第一保護ベルトの距離Ｄｅ３に対して０．６０≦Ｄｅ４／Ｄｅ３≦０．９０の関係を有することが好ましく、０．６５≦Ｄｅ４／Ｄｅ３≦０．８５の関係を有することがより好ましい。
【００３９】
また、図２の構成では、第一補強ベルト１４１および第二補強ベルト１４２の端部、ならびに第一保護ベルト１４３および第二保護ベルト１４４の端部が、タイヤ幅方向の位置を相互にオフセットして配置されている。これにより、ベルト端部における応力集中が緩和される。
【００４０】
［補助ベルト］
図２に示すように、ベルト層１４は、単層の補助ベルト１４５を備える。補助ベルト１４５は、タイヤ赤道面ＣＬから離間したスプリット構造を有し、カーカス層１３および第一補強ベルト１４１の間に配置される。また、一対の補助ベルト１４５がタイヤ赤道面ＣＬを中心として左右対称に配置されている（図１参照）。
【００４１】
また、補助ベルト１４５は、スチールから成る複数のベルトコードをコートゴムで被覆して圧延加工して構成され、絶対値で５５［deg］以上７０［deg］以下、好ましくは５５［deg］以上６５［deg］以下のコード角度を有する。したがって、補助ベルト１４５のコード角度が、隣接するカーカス層１３のコード角度（８０［deg］以上１００［deg］以下）よりも小さく、隣接する第一補強ベルト１４１のコード角度（１１［deg］以上３０［deg］以下）よりも大きい。また、補助ベルト１４５のコード角度とカーカス層１３のコード角度との差が、２５［deg］以上４５［deg］以下であることが好ましく、２７［deg］以上３５［deg］以下であることがより好ましい。また、補助ベルト１４５のコード角度と第一補強ベルト１４１のコード角度との差が、３２［deg］以上４７［deg］以下であることが好ましく、３６［deg］以上４３［deg］以下であることがより好ましい。これにより、補助ベルト１４５のコード角度が適正化される。
【００４２】
また、補助ベルト１４５のベルトコードの外径が、２．０［ｍｍ］以上４．５［ｍｍ］以下の範囲にあり、好ましくは２．２［ｍｍ］以上３．０［ｍｍ］以下の範囲にある。また、補助ベルト１４５のベルトコードのエンド数が、１３［本／５０ｍｍ］以上２０［本／５０ｍｍ］以下の範囲にあり、好ましくは１５［本／５０ｍｍ］以上１８［本／５０ｍｍ］以下の範囲にある。
【００４３】
また、図２に示すように、補助ベルト１４５が第一補強ベルト１４１よりも幅狭であり、補助ベルト１４５の両端部が第一補強ベルト１４１とカーカス層１３との間に挟み込まれる。また、タイヤ赤道面ＣＬから補助ベルト１４５のタイヤ幅方向の外側端部までの距離Ｄｅ５が、トレッド展開半幅ＴＤＷ／２に対して０．６０≦Ｄｅ５／（ＴＤＷ／２）≦０．９０の関係を有することが好ましく、０．７０≦Ｄｅ５／（ＴＤＷ／２）≦０．８０の関係を有することがより好ましい。
【００４４】
また、タイヤ赤道面ＣＬから補助ベルト１４５のタイヤ幅方向の外側端部までの距離Ｄｅ５が、第一補強ベルト１４１の距離Ｄｅ１に対して０．７５≦Ｄｅ５／Ｄｅ１≦０．９９の関係を有することが好ましく、０．８５≦Ｄｅ５／Ｄｅ１≦０．９５の関係を有することがより好ましい。したがって、補助ベルト１４５の全体が、第一補強ベルト１４１の端部よりもタイヤ赤道面ＣＬ側に配置される。
【００４５】
また、図２の構成では、補助ベルト１４５の外側端部が、幅狭な第二補強ベルト１４２の端部よりもタイヤ赤道面ＣＬ側にある。しかし、これに限らず、補助ベルト１４５の外側端部が、幅狭な第二補強ベルト１４２の端部よりもタイヤ幅方向外側に位置しても良い（図示省略）。具体的には、補助ベルト１４５の外側端部が、第一補強ベルト１４１および第二補強ベルト１４２の端部に対してタイヤ幅方向にオフセットして配置されることが好ましい。
【００４６】
また、タイヤ赤道面ＣＬから補助ベルト１４５のタイヤ幅方向の内側端部までの距離Ｄｅ５’が、トレッド展開半幅ＴＤＷ／２に対して０．１０≦Ｄｅ５’／（ＴＤＷ／２）≦０．４０の関係を有することが好ましく、０．１２≦Ｄｅ５’／（ＴＤＷ／２）≦０．２０の関係を有することがより好ましい。
【００４７】
また、タイヤ赤道面ＣＬから補助ベルト１４５のタイヤ幅方向の内側端部までの距離Ｄｅ５’が、外側端部の距離Ｄｅ５に対して０．０５≦Ｄｅ５’／Ｄｅ５≦０．３０の関係を有することが好ましく、０．１０≦Ｄｅ５’／Ｄｅ５≦０．２０の関係を有することがより好ましい。
【００４８】
また、補助ベルトの幅Ｗｂ５（＝Ｄｅ５−Ｄｅ５’）が、トレッド展開半幅ＴＤＷ／２に対して０．４０≦Ｗｂ５／（ＴＤＷ／２）≦０．６０の関係を有することが好ましく、０．４５≦Ｗｂ５／（ＴＤＷ／２）≦０．５５の関係を有することがより好ましい。
【００４９】
なお、図１の構成では、上記のように単層かつ左右一対の補助ベルト１４５、１４５が配置されている。しかし、これに限らず、２層以上の補助ベルトが積層されて左右に配置されても良い。
【００５０】
［付加的事項］
図３は、図１に記載した空気入りタイヤのトレッド部を示す拡大図である。同図は、タイヤ赤道面ＣＬを境界としたトレッド部の片側領域を示している。
【００５１】
図３において、タイヤを規定リムに装着して規定内圧を付与した時のトレッドプロファイルの肩落ち量Ｄｔが、タイヤ断面高さＳＨに対して０．０２５≦Ｄｔ／ＳＨ≦０．０７０の関係を有することが好ましく、０．０３５≦Ｄｔ／ＳＨ≦０．０６０の関係を有することがより好ましい。
【００５２】
また、タイヤを規定リムに装着して０［ｋＰａ］の内圧を付与した時のトレッドプロファイルの肩落ち量Ｄｔ’が、タイヤ断面高さＳＨ’に対して０．０３０≦Ｄｔ’／ＳＨ’≦０．０７０の関係を有することが好ましく、０．０４０≦Ｄｔ’／ＳＨ’≦０．０６５の関係を有することがより好ましい。０［ｋＰａ］の内圧を付与した時のトレッドプロファイルは、タイヤ成形金型の形状に相当する。
【００５３】
また、図３において、タイヤ赤道面ＣＬにおけるトレッドプロファイルからカーカスプロファイルまでの距離Ｇｃａ１が、トレッド端Ｔからカーカスプロファイルまでの距離Ｇｃａ２に対して０．８０≦Ｇｃａ１／Ｇｃａ２≦１．２５の関係を有することが好ましく、０．９０≦Ｇｃａ１／Ｇｃａ２≦１．１５の関係を有することがより好ましい。
【００５４】
トレッドプロファイルからカーカスプロファイルまでの距離は、タイヤを規定リムに装着して規定内圧を付与すると共に無負荷状態として測定される。
【００５５】
プロファイルは、タイヤ子午線方向の断面視における輪郭線であり、タイヤを規定リムに装着して規定内圧を充填した無負荷状態にてレーザープロファイラを用いて計測される。レーザープロファイラとしては、例えば、タイヤプロファイル測定装置（株式会社マツオ製）が使用される。
【００５６】
また、図３において、タイヤ赤道面ＣＬにおけるトレッドゴム１５のゲージＧｔｒ１が、ベルト層１４の最外層（図３では、第二保護ベルト１４４）の端部位置におけるトレッドゴム１５のゲージＧｔｒ２に対して０．９０≦Ｇｔｒ１／Ｇｔｒ２≦１．３５の関係を有することが好ましく、１．００≦Ｇｔｒ１／Ｇｔｒ２≦１．２５の関係を有することがより好ましい。また、タイヤ赤道面ＣＬにおけるトレッドゴム１５のゲージＧｔｒ１が、６５［ｍｍ］≦Ｇｔｒ１≦９０［ｍｍ］の範囲にある。
【００５７】
トレッドゴムのゲージは、タイヤ子午線方向の断面視にて、トレッドプロファイルからベルト層の最外層のベルトコード面に下ろした垂線の長さとして測定される。ベルトコード面は、ベルトプライを構成する複数のベルトコードのタイヤ径方向外側の端部を接続した面として定義される。
【００５８】
［効果］
以上説明したように、この空気入りタイヤ１は、カーカス層１３と、カーカス層１３の径方向外側に配置されたベルト層１４と、ベルト層１４の径方向外側に配置されたトレッドゴム１５とを備える（図１参照）。また、カーカス層１３が、８０［deg］以上１００［deg］以下のコード角度を有する。また、ベルト層１４が、第一補強ベルト１４１と、第一補強ベルト１４１よりも幅狭な第二補強ベルト１４２と、タイヤ赤道面ＣＬから離間すると共にカーカス層１３および第一補強ベルト１４１の間に配置された補助ベルト１４５とを積層して成る（図２参照）。また、第一補強ベルト１４１が、１１［deg］以上３０［deg］以下のコード角度を有し、第二補強ベルト１４２が、１［deg］以上１１［deg］以下のコード角度を有し、且つ、補助ベルト１４５が、５５［deg］以上７０［deg］以下のコード角度を有する。
【００５９】
かかる構成では、（１）補助ベルト１４５がカーカス層１３および補強ベルト１４１、１４２の間に配置されることにより、トレッド部ショルダー領域の径成長が抑制される。これにより、ベルト層１４の端部における周辺ゴムのセパレーションが抑制されて、タイヤのベルトエッジ耐久性能が向上する利点がある。また、（２）補助ベルト１４５がタイヤ赤道面ＣＬから離間した、いわゆるスプリット構造を有することにより、補助ベルト１４５の配置に起因するトレッド部センター領域のゲージの増加が抑制される。これにより、トレッド部センター領域とショルダー領域との径差が緩和されて、タイヤの偏摩耗が抑制される利点がある。また、（３）補助ベルト１４５が、５５［deg］以上７０［deg］以下のコード角度を有することにより、補助ベルト１４５のコード角度が適正化される利点がある。すなわち、上記下限により、隣り合う補助ベルト１４５およびカーカス層１３の間のコード角度の差が小さくなり、層間歪みが低減されて、補助ベルト１４５の端部における周辺ゴムのセパレーションが抑制される。また、上記上限により、上記した補助ベルト１４５によるトレッド部ショルダー領域の径成長の抑制作用が確保される。さらに、（４）幅狭な第二補強ベルト１４２が１［deg］以上１１［deg］以下のコード角度を有することにより、タイヤ外径の成長が抑制され、同時に幅広な第一補強ベルト１４１の歪みが低減される。これにより、タイヤのベルトエッジ耐久性能が向上する利点がある。
【００６０】
また、この空気入りタイヤ１では、タイヤ赤道面ＣＬから補助ベルト１４５のタイヤ幅方向の距離Ｄｅ５が、トレッド展開半幅ＴＤＷ／２に対して０．６０≦Ｄｅ５／（ＴＤＷ／２）≦０．９０の関係を有する（図２参照）。上記下限により、補助ベルト１４５によるトレッド部ショルダー領域の径成長の抑制作用が確保される。上記上限により、補助ベルト１４５の外側端部における周辺ゴムのセパレーションが抑制される。
【００６１】
また、この空気入りタイヤ１では、タイヤ赤道面ＣＬから補助ベルト１４５のタイヤ幅方向の外側端部までの距離Ｄｅ５が、タイヤ赤道面ＣＬから第一補強ベルト１４１の距離Ｄｅ１に対して０．７５≦Ｄｅ５／Ｄｅ１≦０．９９の関係を有する（図２参照）。上記下限により、補助ベルト１４５によるトレッド部ショルダー領域の径成長の抑制作用が確保される。上記上限により、補助ベルト１４５の外側端部における周辺ゴムのセパレーションが抑制される。
【００６２】
また、この空気入りタイヤ１では、タイヤ赤道面ＣＬから補助ベルト１４５のタイヤ幅方向の内側端部までの距離Ｄｅ５’が、トレッド展開半幅ＴＤＷ／２に対して０．１０≦Ｄｅ５’／（ＴＤＷ／２）≦０．４０の関係を有する（図２参照）。上記下限により、補助ベルト１４５がスプリット構造を有することによる有利さが確保される。上記上限により、補助ベルト１４５の外側端部における周辺ゴムのセパレーションが抑制される。
【００６３】
また、この空気入りタイヤ１では、補助ベルト１４５の幅Ｗｂ５が、トレッド展開半幅ＴＤＷ／２に対して０．４０≦Ｗｂ５／（ＴＤＷ／２）≦０．６０の関係を有する（図２参照）。上記下限により、補助ベルト１４５の幅Ｗｂ５が確保される。上記上限により、補助ベルト１４５がスプリット構造を有することによる有利さが確保される。
【００６４】
また、この空気入りタイヤ１では、補助ベルト１４５を構成するベルトコードのコード径が、２．０［ｍｍ］以上４．５［ｍｍ］以下の範囲にある。これにより、補助ベルト１４５のコード径が適正化される。
【００６５】
また、この空気入りタイヤ１では、タイヤ赤道面ＣＬから第一補強ベルト１４１の端部までの距離Ｄｅ１が、トレッド展開半幅ＴＤＷ／２に対して０．８５≦Ｄｅ１／（ＴＤＷ／２）≦０．９５の関係を有する（図２参照）。上記下限により、第一補強ベルト１４１によるタガ効果が確保されて、タイヤ形状が適正に保持される。上記上限により、第一補強ベルト１４１の端部における周辺ゴムのセパレーションが抑制される。
【００６６】
また、この空気入りタイヤ１では、タイヤ赤道面ＣＬから第二補強ベルト１４２の端部までの距離Ｄｅ２が、トレッド展開半幅ＴＤＷ／２に対して０．７０≦Ｄｅ２／（ＴＤＷ／２）≦０．８４の関係を有する（図２参照）。上記下限により、第二補強ベルト１４２によるタガ効果が確保されて、タイヤ形状が適正に保持される。上記上限により、第二補強ベルト１４２の端部における周辺ゴムのセパレーションが抑制される。さらに、幅狭な第二補強ベルト１４２が幅広な第一補強ベルト１４１よりも径方向外側にある構成（図２参照）では、第二補強ベルト１４２による内圧の押さえ込み作用が高まり、幅広な第一補強ベルト１４１のエッジ歪が効果的に低減される。
【００６７】
また、この空気入りタイヤ１では、ベルト層１４が、第一補強ベルト１４１および第二補強ベルト１４２の径方向外側に配置された保護ベルト１４３を備える（図２参照）。また、保護ベルト１４３が、１１［deg］以上３０［deg］以下のコード角度を有する。また、タイヤ赤道面ＣＬから保護ベルト１４３の端部までの距離Ｄｅ３が、第一補強ベルト１４１および第二補強ベルト１４２の端部までの距離Ｄｅ１、Ｄｅ２に対してＤｅ１＜Ｄｅ３およびＤｅ２＜Ｄｅ３の関係を有する。かかる構成では、保護ベルト１４３により、第一補強ベルト１４１および第二補強ベルト１４２の端部における周辺ゴムのセパレーションが抑制される。
【００６８】
また、この空気入りタイヤ１では、タイヤ赤道面ＣＬから保護ベルト１４３の端部までの距離Ｄｅ３が、トレッド展開半幅ＴＤＷ／２に対して０．８０≦Ｄｅ３／（ＴＤＷ／２）≦０．９９の関係を有する（図２参照）。上記下限により、保護ベルト１４３による周辺ゴムのセパレーションの抑制作用が確保される。上記上限により、保護ベルト１４３自体が過大となることに起因する歪みの発生が抑制される。
【００６９】
また、この空気入りタイヤ１では、タイヤを規定リムに装着して規定内圧を付与した時のトレッドプロファイルの肩落ち量Ｄｔが、タイヤ断面高さＳＨに対して０．０２５≦Ｄｔ／ＳＨ≦０．０７０の関係を有する（図１参照）。上記下限により、トレッド部のセンター領域およびショルダー領域におけるトレッドゲージが適正化されて、タイヤの発熱性能が向上する。上記上限により、タイヤ転動時におけるトレッド部ショルダー領域の歪み量が低減されて、タイヤのベルトエッジ耐久性能が向上する。また、比Ｄｔ／ＳＨが適正化されることにより、トレッド部センター領域とショルダー領域との径差が緩和されて、タイヤの偏摩耗が抑制される利点がある。
【００７０】
また、この空気入りタイヤ１では、タイヤ赤道面ＣＬにおけるトレッドプロファイルからカーカスプロファイルまでの距離Ｇｃａ１が、トレッド端Ｔからカーカスプロファイルまでの距離Ｇｃａ２に対して０．８０≦Ｇｃａ１／Ｇｃａ２≦１．２５の関係を有する（図３参照）。上記下限により、トレッド部ショルダー領域のせり上がりが抑制されて、ショルダー領域の歪み量が低減される。これにより、タイヤのベルトエッジ耐久性能が向上する。上記上限により、トレッド部のセンター領域およびショルダー領域におけるトレッドゲージが適正化されて、タイヤの発熱性能が向上する。
【００７１】
また、この空気入りタイヤ１では、タイヤ赤道面ＣＬにおける前記トレッドゴムのゲージＧｔｒ１が、前記ベルト層の最外層の端部位置における前記トレッドゴムのゲージＧｔｒ２に対して０．９０≦Ｇｔｒ１／Ｇｔｒ２≦１．３５の関係を有する。上記下限により、トレッド部ショルダー領域のせり上がりが抑制されて、ショルダー領域の歪み量が低減される。これにより、タイヤのベルトエッジ耐久性能が向上する。上記上限により、トレッド部のセンター領域およびショルダー領域におけるトレッドゲージが適正化されて、タイヤの発熱性能が向上する。
【００７２】
［適用対象］
この空気入りタイヤ１の構成は、建設車両用あるいは産業車両用の低偏平タイヤに適用されることが好ましい。具体的には、７０［％］以下、好ましくは６５［％］以下の偏平率を有するＯＲタイヤが想定される。かかる低偏平のＯＲタイヤでは、タイヤ外径を維持しつつ負荷重能力を向上できる一方で、荷重係数（k-factor）が増加してタイヤの撓み量が増加するため、ベルト端部における周辺ゴムのセパレーションが発生し易いという課題がある。また、低偏平ＯＲタイヤでは、高内圧かつ高荷重での使用条件下にて、偏摩耗が発生し易いという課題がある。したがって、かかる低偏平のＯＲタイヤを適用対象とすることにより、上記したタイヤのベルトエッジ耐久性能および耐偏摩耗性能の向上効果が顕著に得られる。
【００７３】
また、この空気入りタイヤ１の構成は、カーカス層１３が７０［％］以下の偏平率を有するＯＲタイヤに適用されることが好ましい。
【００７４】
カーカス層の偏平率は、タイヤを規定リムに装着して規定内圧を充填した無負荷状態における、規定リムのリムフランジ部の最大径位置からカーカス層の最大径方向位置までの径方向距離Ｈｃａとカーカス層の最大幅Ｗｃａとの比として算出される。
【実施例】
【００７５】
図４は、この発明の実施の形態にかかる空気入りタイヤの性能試験の結果を示す図表である。
【００７６】
この性能試験では、複数種類の試験タイヤについて、（１）耐偏摩耗性能および（２）ベルトエッジ耐久性能に関する評価が行われた。また、タイヤサイズ８７５／６５Ｒ９の試験タイヤがリムサイズ２９×２７．００−３．５のリムに組み付けられ、この試験タイヤに４７５［ｋＰａ］の内圧および１５５００［ｋｇ］の荷重が付与される。
【００７７】
（１）耐偏摩耗性能に関する評価では、ＴＲＡコードＥ−４で規定される用途のダンプトラックである試験車両が舗装路を５万［ｋｍ］走行し、その後に陸部に発生した偏摩耗が観察されて、評価が行われる。この評価は、従来例を基準（１００）とした指数評価により行われ、その数値が大きいほど好ましい。
【００７８】
（２）ベルトエッジ耐久性能に関する評価では、室内ドラム試験機が用いられ、走行速度を１０［ｋｍ／ｈ］に設定し、荷重および走行速度が１２時間毎に１０［％］増加されて、タイヤが破壊するまでの走行時間が測定される。そして、この測定結果に基づいて従来例を基準（１００）とした指数評価が行われる。この評価は、数値が大きいほど好ましい。
【００７９】
実施例１〜１７の試験タイヤは、図１および図２の構成を備え、ベルト層１４が一対の補強ベルト１４１、１４２と一対の保護ベルト１４３、１４４と単層かつ左右一対の補助ベルト１４５とを積層して成る。また、補強ベルト１４１、１４２と補助ベルト１４５がコード径２．２４［ｍｍ］のスチールコードから成り、一対の保護ベルト１４３、１４４がコード径１．８２［ｍｍ］のスチールコードから成る。また、トレッド展開半幅ＴＤＷ／２が３６０［ｍｍ］であり、タイヤ断面高さＳＨが５８５［ｍｍ］である。また、カーカス層１３のコード角度が９０［deg］であり、カーカス層１３の偏平率が４５［％］である。
【００８０】
従来例の試験タイヤは、図１および図２の構成において、補助ベルト１４５を備えていない。比較例の試験タイヤは、図１および図２の構成において、補強ベルト１４１、１４２および補助ベルト１４５のコード角度が所定の範囲外にある。
【００８１】
試験結果が示すように、実施例の試験タイヤでは、タイヤの耐偏摩耗性能およびベルトエッジ耐久性能が向上することが分かる。
【符号の説明】
【００８２】
１  空気入りタイヤ；１１  ビードコア；１２  ビードフィラー；１３  カーカス層；１４  ベルト層；１５  トレッドゴム；１６  サイドウォールゴム；１７  リムクッションゴム；１４１、１４２  補強ベルト；１４３、１４４  保護ベルト；１４５  補助ベルト
【図１】
2020066306.tif 000003
【図２】
2020066306.tif 000004
【図３】
2020066306.tif 000005
【図４】
2020066306.tif 000006